(57)【特許請求の範囲】
【請求項１】
ブックを構成するため複数のページ画像が面付された記録物を読み取り、ページ毎にページ順位が付与されたブックデータを生成するブックデータ生成装置であって、
前記記録物の面付パターン情報を設定する面付パターン設定手段と、
前記記録物を読み取って、読取データを出力する読取手段と、
前記設定された面付パターン情報に従って、前記読取データを各ページ画像毎のページデータに分割するとともに、分割された前記ページデータにページ順位を付与し、それによってブックデータを生成する生成手段と、
を備え、
前記面付パターン情報は、前記複数のページ画像が形成された各ページ画像の記録領域毎に記録領域情報とページ順位情報とを含み、
前記生成手段は、前記記録領域情報に従って各ページ画像毎にページデータに分割し、前記ページ順位情報に従って分割された前記ページデータにページ順位を付与することを特徴とするブックデータ生成装置。
【請求項２】
前記面付パターン情報は、さらに、前記複数のページ画像が形成された各ページ画像の記録領域毎に前記ページ画像の回転情報を含む請求項１記載のブックデータ生成装置。
【請求項３】
前記ブックは、複数の前記記録物により再現することが可能で、
前記読取手段は、複数の記録物を所定の順序で読み取って読取データを出力し、
さらに、前記ページ順位情報は、前記記録物の読取順序をパラメータとした計算式であることを特徴とする請求項１又は２記載のブックデータ生成装置。
【請求項４】
前記ブックは、複数の前記記録物により再現することが可能で、
前記読取手段は、複数の記録物を所定の順序で読み取って読取データを出力し、
さらに、前記ページ順位情報は、前記記録物の読取順序と前記ブックを構成する全ページ数若しくは前記記録物の全個数をパラメータとした計算式であることを特徴とする請求項１又は２記載のブックデータ生成装置。
【請求項５】
前記面付パターン情報は、さらに、前記記録物の読取順序に従って変化する前記ページ画像間の間隔情報を含む請求項３又は４に記載のブックデータ生成装置。
【請求項６】
前記生成手段は、前記複数の記録物すべてに対して各ページ画像毎のページデータに分割した後に、前記各ページデータにページ順位を付与することを特徴とする請求項３又は４に記載のブックデータ生成装置。
【請求項７】
ブックを構成するため複数のページ画像が面付された記録物を読み取り、ページ毎にページ順位が付与されたブックデータを生成するブックデータ生成方法であって、
（ａ）前記記録物の面付パターン情報を設定する工程と、
（ｂ）前記記録物を読み取って、読取データを出力する工程と、
（ｃ）前記設定された面付パターン情報に従って、前記読取データを各ページ画像毎のページデータに分割するとともに、分割された前記ページデータにページ順位を付与し、それによってブックデータを生成する工程と、
を備え、
前記面付パターン情報は、前記複数のページ画像が形成された各ページ画像の記録領域毎に記録領域情報とページ順位情報とを含み、
前記工程（ｃ）は、前記記録領域情報に従って各ページ画像毎にページデータに分割し、前記ページ順位情報に従って分割された前記ページデータにページ順位を付与することを特徴とするブックデータ生成方法。
【発明の詳細な説明】
【０００１】
【発明の属する技術分野】
この発明は、ブックを構成する複数のページ画像が面付された記録物を読み取り、ページ毎にページ順位が付与されたブックデータを生成するブックデータ生成装置およびブックデータ生成方法に関する。
【０００２】
【従来技術】
印刷業界において、既に製本されている本（冊子）の複製物を生成したいという要求がある。また、単に複製物でなく、その本（冊子）を元に編集した本（冊子）を作成したいという要望がある。その本を作成したときのデジタルのブックデータが残っている場合は、そのデジタルデータを利用してその本の複製物や編集版を作成すればよい。しかしながら、本を印刷した時期が相当昔であれば、そのようなデータが残っていることは少ない。
【０００３】
従来、ブックデータが残っていない場合に、このような複製物や編集版の要求に応じるためには、製本されている本をページ毎にあるいは複数のページが面付されたシート毎に読み取り、読み取ったデータに基づいて編集・編纂してブックデータを復元若しくは新たなブックデータを生成していた。
【０００４】
また、本を印刷するときに利用された製版フィルムが存在している場合、本に記録された画像を直接読み取るのではなく、その製版フィルムに記録された網点画像を読み取り、同様に編集・編纂してブックデータを復元若しくは新たなブックデータを生成していた。
【０００５】
本や製版フィルムなどの記録物が１シートに対して、１ページ分のページ画像のみ記録されている場合は、そのページ順に前記記録物を読み取り、読み取った順序でページデータを配列すれば、ブックデータを生成することができる。しかしながら、記録物１シートに対して、複数のページ画像が記録されている場合、例えば、複数のページ画像が面付されて記録されている場合、その記録物に記録されているページ画像の組み合わせや順列、さらには各ページ画像の形成方向は、面付されたパターンによって異なる。
【０００６】
そこで、従来は、１シートに含まれる複数のページ画像をそれぞれ切り出し、切り出されたページ画像の内容をオペレータが参照することにより、そのページ画像のページ番号を個々に決定し、最終的にページ番号順に並べられたページ画像からなるブックデータを生成していた。
【０００７】
【０００８】
【発明が解決しようとする課題】
しかしながら、従来では、切り出されたページ画像それぞれに対して、オペレータがページ画像の内容を参照しながら、例えば、ページ画像内に記録されているページの番号を参照しながら、ページ番号を個々に付与することにより、ブックデータを生成していた。そのため、オペレータの作業が煩雑で、ブックデータの作成に相当な時間を必要とした。
【０００９】
また、切り出された複数のページ画像をオペレータが順番に並べることによりブックデータを生成することも考えられるが、この場合でも、オペレータによる並べ替え作業が煩雑となっていた。
【００１０】
本発明は、上記問題点を解決し、複数のページ画像が面付された記録物からページ毎にページ順位が付与されたブックデータを簡単な構成や方法で生成することが可能なブックデータ生成装置およびブックデータ生成方法を提供することを目的とする。
【００１１】
【課題を解決するための手段およびその作用・効果】
前述した課題の少なくとも一部を解決するための手段として、以下に示す構成をとった。請求項１記載の発明は、ブックを構成するため複数のページ画像が面付された記録物を読み取り、ページ毎にページ順位が付与されたブックデータを生成するブックデータ生成装置であって、前記記録物の面付パターン情報を設定する面付パターン設定手段と、前記記録物を読み取って、読取データを出力する読取手段と、前記設定された面付パターン情報に従って、前記読取データを各ページ画像毎のページデータに分割するとともに、分割された前記ページデータにページ順位を付与し、それによってブックデータを生成する生成手段と、を備え、前記面付パターン情報は、前記複数のページ画像が形成された各ページ画像の記録領域毎に記録領域情報とページ順位情報とを含み、前記生成手段は、前記記録領域情報に従って各ページ画像毎にページデータに分割し、前記ページ順位情報に従って分割された前記ページデータにページ順位を付与することを特徴とする。
【００１２】
この発明によれば、複数のページ画像が面付された記録物を読みとることによって、読取データを得、その読取データを設定された面付パターン情報に従って各ページ画像毎のページデータに分割するとともに、分割されたページデータにページ順位を付与する。それによって、ページ毎にページ順位が付与されたブックデータを生成することができる。このようにして復元されたブックデータは、編集・編纂して、またはそのままで、新たにブックの印刷のために用いられる。
【００１４】
また、面付パターン情報は、前記複数のページ画像が形成された各ページ画像の記録領域毎に記録領域情報とページ順位情報とを含んでいるので、各ページ画像毎にページデータを正確に分割することができ、さらには、分割されたページデータに正確なページ順位を付与することができる。
【００１５】
また、請求項２記載の発明は、請求項１記載の発明において、前記面付パターン情報は、さらに、前記複数のページ画像が形成された各ページ画像の記録領域毎に前記ページ画像の回転情報を含むことを特徴とする。
【００１６】
この発明によれば、面付パターン情報は、さらに、前記複数のページ画像が形成された各ページ画像の記録領域毎に前記ページ画像の回転情報を含んでいるので、面付パターンの種類によってページ画像が上下逆や、若しくは９０度傾いて記録されている場合でも、正確にブックデータを生成することができる。
【００１７】
また、請求項３記載の発明は、請求項１乃至２記載の発明において、前記ブックは、複数の前記記録物により再現することが可能で、前記読取手段は、複数の記録物を所定の順序で読み取って読取データを出力し、さらに、前記ページ順位情報は、前記記録物の読取順序をパラメータとした計算式であることを特徴とする。
【００１８】
この発明によれば、複数の記録物を所定の順序で読み取り、かつ、読取順序をパラメータとした計算式をページ順位情報としているので、ブックが複数の記録物により再現される場合であっても、正確にブックデータを生成することができる。
【００１９】
また、請求項４記載の発明は、請求項１乃至２記載の発明において、前記ブックは、複数の前記記録物により再現することが可能で、前記読取手段は、複数の記録物を所定の順序で読み取って読取データを出力し、さらに、前記ページ順位情報は、前記記録物の読取順序と前記ブックを構成する全ページ数若しくは前記記録物の全個数をパラメータとした計算式であることを特徴とする。
【００２０】
この発明によれば、複数の記録物を所定の順序で読み取り、かつ、読取順序とブックを構成する全ページ数若しくは記録物の全個数をパラメータとした計算式をページ順位情報としているので、ブックが複数の記録物により再現される場合であっても、正確にブックデータを生成することができる。
【００２１】
また、請求項５記載の発明は、請求項３乃至４の発明において、前記面付パターン情報は、さらに、前記記録物の読取順序に従って変化する前記ページ画像間の間隔情報を含むことを特徴とする。
【００２２】
この発明によれば、面付パターン情報は、さらに、前記記録物の読取順序に従って変化する前記ページ画像間の間隔情報を含んでいるので、ページ画像の間隔が記録物毎に変化していても、正確にブックデータを生成することができる。
【００２３】
また、請求項６記載の発明は、請求項３乃至４記載の発明において、前記生成手段は、前記複数の記録物すべてに対して各ページ画像毎のページデータに分割した後に、前記各ページデータにページ順位を付与することを特徴とする。
【００２４】
この発明によれば、複数の記録物すべてに対して各ページ画像毎のページデータに分割した後に、前記各ページデータにページ順位を付与するので、データ処理効率よく、ブックデータを生成できる。
【００２５】
また、請求項７記載の発明は、ブックを構成するため複数のページ画像が面付された記録物を読み取り、ページ毎にページ順位が付与されたブックデータを生成するブックデータ生成方法であって、（ａ）前記記録物の面付パターン情報を設定する工程と、（ｂ）前記記録物を読み取って、読取データを出力する工程と、（ｃ）前記設定された面付パターン情報に従って、前記読取データを各ページ画像毎のページデータに分割するとともに、分割された前記ページデータにページ順位を付与し、それによってブックデータを生成する工程と、を備え、前記面付パターン情報は、前記複数のページ画像が形成された各ページ画像の記録領域毎に記録領域情報とページ順位情報とを含み、前記工程（ｃ）は、前記記録領域情報に従って各ページ画像毎にページデータに分割し、前記ページ順位情報に従って分割された前記ページデータにページ順位を付与することを特徴とする。
【００２６】
この発明によれば、請求項１記載の発明と同様な作用効果をえることができる。
【００２７】
【発明の実施の形態】
本発明の実施の形態を以下の実施例に基づいて説明する。
【００２８】
［複数のページ画像が面付された記録物］
図１は、本発明に利用される、複数のページ画像が面付された記録物としての記録シートＲＭの例である。記録シートＲＭは、製本された本を分解すること、すなわち本の綴じを外すことにより分離された用紙や、本を印刷するときに使用された製版フィルムである。以下、記録シートＲＭは、説明の便宜上、製版フィルムであることを前提にして説明を進める。
【００２９】
図１（ａ）は、全ページ数「８」、面付ページ数「２」、綴じ方法「中綴じ」、開き方向「右」の条件で製本される本を印刷するための記録シートＲＭ（製版フィルム）の例を示している。記録シートＲＭは、合計４枚のシートからなり、１枚目の記録シートＲＭ（１）には、左側領域ＡＬに第１ページのページ画像ＰＩ（１）が、右側領域ＡＲに第８ページのページ画像ＰＩ（８）がそれぞれ記録されている。同様に、２枚目乃至４枚目の記録シートＲＭ（２），ＲＭ（３）、ＲＭ（４）には、左側領域ＡＬと右側領域ＡＲそれぞれに、「第７ページと第２ページ」、「第３ページと第６ページ」、「第５ページと第４ページ」のページ画像ＰＩが記録されている。なお、１枚目と２枚目、３枚目と４枚目の記録シートＲＭは、１枚の用紙の表面と裏面にそれぞれ印刷するときに使用されるものである。このように複数のページ画像ＰＩが面付された製版フィルムを用いて印刷した２枚の用紙を重ねて折って、中綴じすることにより、ページ順に並んだ本（冊子）を完成することができる。
【００３０】
図１（ｂ）は、全ページ数が「８」から一般的な「Ｐ」に変更されたことを除いて、図１（ａ）と同じ条件で製本される本を印刷するための記録シートＲＭ（製版フィルム）の例を示している。なお、ここで、ページ数ｎは、説明の簡便さのために、４の倍数と仮定する。記録シートＲＭは、１シートあたりに２ページ分のページ画像ＰＩが記録されているので、合計（Ｐ／２）枚のシートからなる。１枚目の記録シートＲＭ（１）には、左側領域ＡＬに第１ページのページ画像ＰＩ（１）が、右側領域ＡＲに第Ｐページのページ画像ＰＩ（Ｐ）がそれぞれ記録されている。同様に、２枚目以降のシートには、左側領域ＡＬと右側領域ＡＲそれぞれに、「第（Ｐ−１）ページと第２ページ」、「第３ページと第（Ｐ−２）ページ」、……のページ画像ＰＩが記録されている。
【００３１】
一般的に、ｎ枚目の記録シートＲＭ（ｎ）には、ｎが奇数の場合、左側領域ＡＬに第ｎページのページ画像ＰＩ（ｎ）が、右側領域ＡＲに第（Ｐ―ｎ＋１）ページのページ画像ＰＩ（Ｐ−ｎ＋１）がそれぞれ記録される。また、ｎが偶数の場合、左側領域ＡＬに第（Ｐ−ｎ＋１）ページのページ画像ＰＩ（Ｐ−ｎ＋１）が、右側領域ＡＲに第ｎページのページ画像ＰＩ（ｎ）がそれぞれ記録される。なお、ｎ枚目（ここでは、ｎは奇数）と（ｎ＋１）枚目の記録シートＲＭは、それぞれ対をなし、用紙の表面と裏面を印刷するときに使用される。このように複数のページ画像が面付された製版フィルムを用いて印刷した用紙を重ねて折って、中綴じすることにより、ページ順に並んだ本（冊子）を完成することができる。
【００３２】
図１（ｃ）は、開き方向が「右」から「左」に変更されたことを除いて、図１（ａ）に示した条件で製本される場合の記録シートＲＭの例である。また、図１（ｄ）は、全ページ数が「８」から一般的な「Ｐ」に変更されたことを除いて、図１（ｃ）に示した条件で製本される場合の記録シートＲＭの例である。図１（ａ）と（ｃ）、図１（ｂ）と（ｄ）をそれぞれ比較すればわかるように、開き方向が変わると、１つの製版フィルムに記録されるページの組み合わせは同じであるが、その順列は異なっていることが分かる。
【００３３】
また、図１（ｂ）および（ｄ）から明らかなように、全ページ数Ｐが変わると、同じ製版フィルムに記録される複数のページ画像の組み合わせパターンが異なっていることがわかる。
【００３４】
図２は、本発明に利用される、複数のページ画像が別の方法により面付された記録シートＲＭの例である。なお、図１の場合と同様に、説明の便宜上、記録シートＲＭは、製版フィルムであることを前提に説明を進める
【００３５】
図２（ａ）は、全ページ数「１６」、面付ページ数「４」、開き方向「右」の条件で製本される本を印刷するための記録シートＲＭの例を示している。記録シートＲＭは、合計４枚のシートからなり、１枚目の記録シートＲＭ（１）には、左上側領域ＡＬＵに第１ページのページ画像ＰＩ（１）が、右上側領域ＡＲＵに第８ページのページ画像ＰＩ（８）が、左下側領域ＡＬＤに第４ページのページ画像ＰＩ（４）が、右下側領域ＡＲＤに第５ページのページ画像ＰＩ（５）が、それぞれ記録されている。同様に、２枚目の記録シートＲＭ（２）には、左上側領域ＡＬＵ、右上側領域ＡＲＵ、左下側領域ＡＬＤおよび右下側領域ＡＲＤそれぞれに、「第７ページ、第２ページ、第６ページおよび第７ページのページ画像がそれぞれ記録されている。また、３枚目および４枚目の記録シートＲＭ（３）、ＲＭ（４）も、図２（ａ）に示すページ画像ＰＩが面付されて記録されている。
【００３６】
なお、左下側領域ＡＬＤと右下側領域ＡＲＤに記録されるページ画像ＰＩは、天地が逆になっている。また、１枚目と２枚目の記録シートＲＭ（１）、ＲＭ（２）は、それぞれ対をなし、同一の用紙の表面と裏面を印刷するときに使用される。このように複数のページ画像が面付された製版フィルムを用いて印刷したそれぞれの用紙を折りたたみ、そして重ね合せた堆積物を綴じ、さらに綴じ部分以外の端部を裁断することにより、ページ順に並んだ本（冊子）を完成することができる。
【００３７】
図２（ｂ）は、全ページ数が「８」から一般的な「Ｐ」に変更されたことを除いて、図２（ａ）と同じ条件で製本される本を印刷するための記録シートＲＭの例を示している。記録シートＲＭは、合計｛ＲＯＵＮＤＵＰ（Ｐ／４）｝枚のシートからなる。ここで、「ＲＯＵＮＤＵＰ」は、小数点以下を切り上げて整数にする関数である。一般的にｎ枚目の記録シートＲＭ（ｎ）には、ｎが奇数の場合、左上側領域ＡＬＵ、右上側領域ＡＲＵ、左下側領域ＡＬＤおよび右下側領域ＡＲＤそれぞれに、第（４ｎ―３）ページ、第（４ｎ＋４）ページ、第（４ｎ）ページおよび第（４ｎ＋１）ページのページ画像ＰＩが記録される。また、ｎが偶数の場合は、左上側領域ＡＬＵ、右上側領域ＡＲＵ、左下側領域ＡＬＤおよび右下側領域ＡＲＤそれぞれに、第（４ｎ―１）ページ、第（４ｎ―６）ページ、第（４ｎ―２）ページおよび第（４ｎ―５）ページのページ画像ＰＩが記録される。
【００３８】
なお、左下側領域ＡＬＤと右下側領域ＡＲＤに記録されるページ画像ＰＩは、天地が逆になっている。また、ｎ枚目（ただし、ｎは奇数）と（ｎ＋１）枚目の記録シートＲＭは、それぞれ対をなし、同一の用紙の表面と裏面を印刷するときに使用される。このように複数のページ画像が面付された製版フィルムを用いて印刷したそれぞれの用紙を折りたたみ、そして重ね合せた堆積物を綴じ、さらに綴じ部分以外の端部を裁断することにより、ページ順に並んだ本（冊子）を完成することができる。
【００３９】
また、図２（ｂ）から明らかなように、全ページ数Ｐが変わっても、同じ製版フィルムに記録される複数のページ画像の組み合わせパターンやその順列に変化はない。これは、この面付パターンの製版フィルムで印刷したそれぞれの用紙は、折られてから重ねることによって、冊子を作り上げるからである。
【００４０】
以上、図１および図２を用いて説明したように、各記録シートＲＭに記録される面付パターン、即ち、各記録シートＲＭに形成されるページ画像ＰＩの組み合わせや順列、および画像の形成方向などは、ページ数、面付数、開き方向、綴じ方法若しくは折り方法などによって異なる。そのため、ブックデータを生成するにはこれらの面付パターンを考慮しなければならない。
【００４１】
[画像処理システムの構成]
【００４２】
続いて、本願発明を実現するための画像処理システムの構成について説明する。図３は、画像処理システム１００の構成図である。この画像処理システム１００は、入力スキャナ１、ブックデータ復元ステーション２（以下、「復元ステーション」という）、コントローラ３、ブックデータ編集ステーション４（以下、「編集ステーション」という）および印刷機５から構成される。
【００４３】
入力スキャナ１は、記録シートＲＭ（製版フィルム）に面付された複数のページ画像ＰＩを読み取って、読取データＲＤを復元ステーション２に出力する。復元ステーション２は、ＣＰＵ、メモリ、ハードディスク、キーボード、マウス等を備えたコンピュータであり、ブックデータＢＤを生成するプログラムがインストールされたものである。ブックデータＢＤとは、各ページデータにページ順位が付与されたものである。また、各ページデータがページ順に並べ替えられたものであってもよい。
【００４４】
コントローラ３は、ＣＰＵ、メモリ、ハードディスク、キーボード、マウス等を備えたコンピュータであり、印刷機５を制御するためのプログラムや、ブックデータＢＤを蓄積・管理するためのプログラムがインストールされたものである。編集ステーション４は、ＣＰＵ、メモリ、ハードディスク、キーボード、マウス等を備えたコンピュータであり、ブックデータＢＤを編集するためのプログラムがインストールされたステーションである。印刷機５は、コントローラ３からの指示に従い、ブックデータＢＤに基づいて、ページ毎に、若しくは新たに面付され面付データ毎に順次記録する印刷機である。
【００４５】
[復元ステーション２の構成および機能]
図４は、復元ステーション２にインストールされたプログラムの機能を模式的に表したものである。復元ステーション２は、機能的な見地から、読取制御部２１、面付パターン設定部２２、ブックデータ生成部２３を備える。
【００４６】
読取制御部２１は、入力スキャナ１の動作を制御するもので、入力スキャナ１は、その制御に従って各記録シートＲＭ毎の読取データＲＤを出力する。ブックを構成するために必要な全記録シートＲＭのシート枚数をＳとした場合、入力スキャナ１は、記録シートＲＭの読取り毎に順次読取データＲＤ（ｎ）（ただし、ｎ＝１、２、…、Ｓ）を出力する。
【００４７】
[面付パターン設定部の機能]
面付パターン設定部２２は、記録シートＲＭの面付パターンを設定する。面付パターンとは、記録される複数のページ画像ＰＩのレイアウトであって、図１および図２に記載されたようなページレイアウトである。面付パターン設定部２２は、さらに、機能的に面付パターン登録部２２ａ、面付パターン選択部２２ｂを含む。面付パターン登録部２２ａは、いくつかの面付パターン情報を登録するための部分である。また、面付パターン選択部２２ｂは、面付パターン登録部２２ａで登録された複数の面付パターン情報から１つの面付パターン情報を選択することによって、面付パターンを設定するものである。
【００４８】
図５に、面付パターン登録部２２ａで登録される面付パターン情報ＩＭＤのデータ構造を示す。各面付パターン情報ＩＭＤ毎に、セット名Ｒａ１、面付ページ数Ｒａ２、ノド移動方向Ｒａ３、ノド移動量Ｒａ４を含む。セット名Ｒａ１は、オペレータが面付パターンの内容を識別するための任意の文字列からなる名称である。例えば、「４面付け右開き」等の文字列が設定される。面付ページ数Ｒａ２は、１枚の記録シートＲＭに記録されているページ画像ＰＩの縦方向の配列数、横方向の配列数およびその合計である。図２に示した面付パターンの場合であれば、「２、２、４」と設定される。ノド移動方向Ｒａ３およびノド移動量Ｒａ４は、左右に面付されたページ画像ＰＩの間隔に関する情報でる。例えば、中綴じで製本される場合、より外側に綴じられる用紙の方がノド（ノド開き）が大きくなる。従って、ノド移動方向Ｒａ３には、より後に読取られる記録シートＲＭほど、のど開きが大きくなるか若しくは小さくなるかの情報が設定される。また、ノド移動量Ｒａ４には、所定枚数（ここでは、１００枚）の記録シートＲＭ当たりノド開きの変化量が設定される。
【００４９】
さらに、面付パターン情報ＩＭＤは、各記録シートＲＭに面付される複数のページ画像ＰＩに対応する各領域毎に、レイアウト位置Ｒｂ１および回転情報Ｒｂ２のデータが含まれる。例えば、図２に示された面付パターンであれば、左上側領域ＡＬＵ、右上側領域ＡＲＵ、左下側領域ＡＬＤおよび右下側領域ＡＲＤの４つの領域に対するデータが含まれる。レイアウト位置Ｒｂ１は、ページ画像ＰＩの縦および横座標を示し、例えば、左上側領域ＡＬＵであれば、座標（１、１）と設定される。回転情報Ｒｂ２は、ページ画像ＰＩが記録されている方向を示し、例えば、ページ画像ＰＩが形成されている方向、例えば天地逆に形成されているかどうかの情報が設定される。
【００５０】
さらに、面付パターン情報ＩＭＤは、各レイアウト位置毎に、表裏情報Ｒｃ１、トリミング領域Ｒｃ２、ページ順位計算式Ｒｃ３が設定される。表裏情報Ｒｃ１は、表面印刷用なのか若しくは裏面印刷用なのかを示す情報である。トリミング領域Ｒｃ２は、ページ画像ＰＩの形成領域の対角２点の座標である。ページ順位計算式Ｒｃ３は、図２（ｂ）で示した場合では、記録シートＲＭの読取順序ｎを変数パラメータとしたものである。また、図１（ｂ）および（ｄ）で示した場合では、読取順序ｎとブックの全ページ数Ｐをパラメータとした計算式である。全ページ数Ｐは、面付数がわかれば全記録シートＲＭの個数Ｓにより求めることもできるので、計算式Ｒｃ３は、読取順序ｎと記録シートＲＭの全個数（枚数）をパラメータとした計算式ということもできる。
【００５１】
例えば、図２（ｂ）に示す面付パターンの場合であって、記録シートＲＭのページ順序ｎが偶数すなわち裏面印刷用で、形成領域が左下側領域ＡＬＤの場合、そのページ順位計算式Ｒｃ３は、（４ｎ―２）となる。また、図１（ｂ）に示す面付パターンの場合であって、記録シートＲＭのページ順序ｎが偶数すなわち裏面印刷用で、形成領域が右側領域ＡＲの場合、そのページ順位計算式Ｒｃ３は、（Ｐ−ｎ＋１）となる。ただし、パラメータＰは、全ページ数である。
【００５２】
[面付パターン登録のメニュー画面]
図６は、面付パターンを登録するためにメニュー画面の例である。このメニュー画面Ｗ１は、復元ステーション２のモニタに表示される。このメニュー画面Ｗ１は、大きくわけて４つのサブウインドウからなる。
【００５３】
サブウインドウＳＷ１には、登録されている面付パターンが図式化されたイメージが表示される。面付パターン登録のために選択されている領域が他の領域と異なるように表示される。例えば、この図の場合では、選択された領域の周囲に枠が表示される。サブウインドウＳＷ２には、面付ページ数、ノド移動方向、ノド移動量、レイアウト位置、回転情報、表裏情報、ページ番号計算式、トリミング領域をそれぞれ設定するためのインプットボックスやセレクトボックスが表示される。また、サブウインドウＳＷ３には、現在設定されている面付パターン情報ＩＭＤをまとめて表示するための領域である。
【００５４】
また、サブウインドウＳＷ４は、セット名を入力するインプットボックスと、「新規」、「ロード」、「登録」および「削除」のコマンドボタンが表示される。「新規」ボタンをクリックすると、新たな面付パターン情報ＩＭＤの設定のために全てデータが空白の状態になる。「ロード」ボタンをクリックすると、その時入力されているセット名に対応する面付パターン情報ＩＭＤを読出す。これは、その面付パターン情報ＩＭＤを元にして新たな面付パターン情報ＩＭＤを登録する際に用いられる。「登録」ボタンをクリックすると、現在入力された各種情報が、面付パターン情報ＩＭＤとして登録される。「削除」ボタンを押すと、入力されたセット名に対応する面付パターン情報が削除される。
【００５５】
このメニュー画面Ｗ１を用いて、複数の面付パターン情報ＩＭＤを順次登録することができる。登録された複数の面付パターン情報ＩＭＤは、復元ステーション２のメモリに一時的に記憶される。
【００５６】
[復元処理ルーチン]
図７は、本発明に係るブックデータＢＤを生成するための復元処理ルーチンの制御フローを示す。もちろん、この制御フローは、復元ステーション２で実行される。なお、ブックデータを復元するために必要な記録シートＲＭが、１枚ではなく、複数枚存在する場合は、この制御フローを実行する前に、記録シートＲＭは、所定の順序で並べ変えて置くことが好ましい。所定の順序とは、通常の印刷が行われるときの順序と同じである。これは、ページ順位を決定するときに用いられる計算式に、読取順序ｎが変数パラメータとして含まれているからである。
【００５７】
まず、ステップＳＴ１において、オペレータが復元処理ルーチンの実行の開始を指示すると、記録シートＲＭの処理枚数としての変数ｎを「１」に初期化する。続いて、ステップＳＴ２で、復元処理条件を設定する。復元処理条件の設定は、図８に示されたメニュー画面Ｗ２で行われる。メニュー画面Ｗ２では、全ページ数、復元ページ範囲および面付パターンの設定ができる。全ページ数は、復元しようとするブックデータＢＤの全ページ数である。復元ページ範囲は、ブックデータＢＤを生成するページの範囲である。面付パターンは、記録シートＲＭの面付パターンの面付パターン情報ＩＭＤを予め登録されているもののなかからセット名Ｒａ１に基づいて選択するためのものである。全ページ数および復元ページ範囲を入力し、かつ面付パターンを設定したあと、「開始」ボタンをクリックすると、続くステップＳＴ３に進み、実質的なブックデータＢＤの生成処理開始する。
【００５８】
なお、全記録シートＲＭの枚数Ｓは、入力された全ページ数Ｐと設定された面付パターンの面付ページ数から求めることができる。即ち、枚数Ｓは、式｛ＲＯＵＮＤＵＰ（Ｐ／ｍ）｝より求めることができる。ただし、ｍは、面付ページ数である。
【００５９】
ステップＳＴ３以降の処理工程については、図９を参照しながらその動作、機能を説明する。なお、図９は、図２で示した面付パターンにより記録された記録シートＲＭ（図９（ａ）参照）に元にブックデータＢＤを生成する際の各種データの内容を示している。
【００６０】
ステップＳＴ３において、ｎ枚目の記録シートＲＭ（１）を読取り、読取データＲＤ（ｎ）として出力する。ここで読取データＲＤ（ｎ）は、図９（ｂ）に示すように、一枚の記録シートＲＭ（ｎ）に面付されている複数のページ画像ＰＩを含んでいる。なお、「ｎ」が奇数のときは、表面印刷用の記録シートＲＭを示し、「ｎ」が偶数のときは、裏面印刷用の記録シートＲＭを示している。
【００６１】
続いて、ステップＳＴ４において、ステップＳＴ２で設定された面付パターン情報ＩＭＤに従って、複数のページデータに分割する。この分割処理は、面付パターン情報ＩＭＤのレイアウト位置Ｒｂ１、表裏情報Ｒｃ１、トリミング領域Ｒｃ２、回転情報Ｒｂ２、ノド移動方向Ｒａ３およびノド移動量Ｒａ４に基づいて行われる。基本的には、例レイアウト位置毎のトリミング領域Ｒｃ２に基づいて、読取データＲＤをトリミング処理することにより、各レイアウト位置に対応するページデータＰＤを切り出して出力する。なお、ノドに関する情報が設定されている場合は、ノド移動方向Ｒａ３およびノド移動量Ｒａ４に応じてトリミング領域Ｒｃ２が補正される。この結果、得られるページデータＰＤを、図９（ｃ）に示す。さらに、回転情報Ｒｂ２基づいて回転処理が加えられる。この結果、最終的に得られたページデータＰＤを、図９（ｄ）に示す。
【００６２】
ＳＴ５で、分割されたページデータＰＤに対して、ページ順位計算式Ｒｃ３に従って、ページ順位を付与する。これは、処理枚数ｎや全ページ数Ｐ若しくは記録シートＲＭの全枚数Ｓをパラメータとした計算式Ｒｃ３によって、ページ番号を求め、このページ番号をページ順位としてページデータＰＤに付与する。図９（ｅ）に、各ページデータＰＤに付与されるページ順位が示されている。例えば、ページデータＰＤ１（１、１）には、ページ順位「１」が、ページデータＰＤ１（２、１）には、ページ順位「８」が付与される。
【００６３】
ステップＳＴ６で、次の記録シートＲＭの処理のために、変数ｎを「１」加算する。ステップＳＴ７において、全記録シートについて処理を終了したかどうかを、変数ｎと全記録シート枚数Ｓの値を比較することによって判断する。終了していなければ、ステップＳＴ３に戻り、次の記録シートＲＭに対して、ステップＳＴ３乃至ステップＳＴ６の処理を繰り返す。全記録シートＲＭに対する処理が終了すれば、この復元処理ルーチンは終了する。なお、記録シートＲＭの処理順序は、通常印刷が行われるときと同じ順序である。
【００６４】
このように、各ページデータにページ順位が付与されたページデータの集合体は、いわゆるブックデータＢＤとなる。なお、ページ順位が付与されたページデータの集合体を１つのファイルに統合してもよし、ページデータ毎に別々のファイルに独立させ、それらを共通のデレクトリに格納することによりブックデータを生成するように構成してもよい。また、ページ順位を付与するとは、各ページデータにページ番号を付与することとだけを意味するのではなく、ページデータをページ順にソートすることも含まれる。
【００６５】
[他の復元処理ルーチン]
図１０は、本発明に係るブックデータＢＤを生成するための他の復元処理ルーチンの制御フローを示す。図１０で示された制御フローは、図７で示された制御フローと比較して、各ページデータに対して、ページ順位を付与するタイミングが異なっている。図７で示された例では、１枚の記録シートＲＭの処理毎に、各ページデータに対してページ順位を付与していたが、図１０で示す例は、全ての記録シートＲＭに対して読取りおよびページ分割処理が終了した後に、ページ順位をまとめて付与する方法をとっている。
【００６６】
ステップＳＴ１１乃至ステップＳＴ１４は、図７の場合と同じなので説明は省略する。ステップＳＴ１５は、次の記録シートＲＭの処理のために変数ｎを「１」加算する。続いてステップＳＴ１６において、全記録シートＲＭについて処理を終了したかどうかを、変数ｎと全記録シート枚数Ｓの値を比較することによって判断する。終了していなければ、ステップＳＴ１３に戻り、ステップＳＴ１３乃至ステップＳＴ１５の処理を繰り返す。全記録シートＲＭに対する処理が終了すれば、ステップＳＴ１７に進み、各ページデータにページ順位を付与する。なお、このページ順位の付与に関する処理は、図７で示したステップＳＴ５の処理と同じであるので、ここでの説明は省略する。
【００６７】
[復元されたブックデータＢＤの利用]
このようにして復元されたブックデータＢＤは、サーバとしても機能するコントローラ３に送信される。続いて、そのブックデータＢＤは、編集ステーション４で編集・編纂され、さらには、新たな面付パターンで面付される。編集・編纂さらには面付されたブックデータＢＤは、コントローラ３を介して、印刷機５でページ順に印刷する。
【００６８】
[変形例]
上記実施の形態においては、設定された面付パターンに従って、ページデータにページ順位を付与することによってブックデータＢＤを生成していたが、より正確にページ順位を設定するために、ページ画像ＰＩのヘッダまたはフッタに記録されたページ番号（ノンブル）をパターン認識し、認識したページ番号と上記面付パターンによる計算式により得られる２つの情報から総合的に判断して、ページ順位を決定するようにしてもよい。このように構成すれば、より正確にページ順が整ったブックデータＢＤを生成することができる。
【００６９】
また、上記実施の形態においては、記録物としての記録シートＲＭは、面付された製版フィルムであることを前提にして説明したけれども、記録シートＲＭは、製本された本を分解すること、すなわち本の綴じを外すことにより分離された用紙であってもよい。この場合、面付された複数のページ画像ＰＩは、用紙の両面に形成されている場合があるので、その場合は、１枚目の表、裏、２枚目の表、裏…の順序で記録シートＲＭとしての用紙を読み取ればよい。
【００７０】
また、上記実施の形態においては、コントローラ３には、印刷機５が接続されていたが、画像を記録するものであればなんでもよく、例えば、イメージセッタやプレートセッタなどでもよい。もちろん、この時に記録されるページ画像は面付されていてもよい。
【００７１】
【図面の簡単な説明】
【図１】図１は、本発明に利用される複数のページ画像が面付された記録シートＲＭの例である。
【図２】図２は、本発明に利用される複数のページ画像が面付された記録シートＲＭの他の例である。
【図３】図３は、本願発明を実現するための画像処理システムの構成図である。
【図４】図４は、復元ステーション２にインストールされたプログラムの機能を模式的に表した図である。
【図５】図５は、登録される面付パターン情報ＩＭＤの構造を示す図である。
【図６】図６は、面付パターンを登録するためにメニュー画面の例である。
【図７】図７は、本発明に係るブックデータＢＤを生成するための復元処理ルーチンの制御フローチャートである。
【図８】図８は、復元条件を設定するためのメニュー画面の例である。
【図９】図９は、ブックデータＢＤが生成する過程を説明するための図である。
【図１０】図１０は、本発明に係るブックデータＢＤを生成するための他の復元処理ルーチンの制御フローチャートである。
【符号の説明】
１  …入力スキャナ
２  …復元ステーション
３  …コントローラ
４  …編集ステーション
５  …印刷機
２１  …読取制御部
２２  …面付パターン設定部
２２ａ…面付パターン登録部
２２ｂ…面付パターン選択部
２３  …ブックデータ生成部
２３ａ…ページ分割部
２３ｂ…ページ順位付与部
１００  …画像処理システム
ＩＭＤ  …面付パターン情報
ＰＩ    …ページ画像
ＲＤ    …読取データ
ＲＭ    …記録物（記録シート）
【図１】
0003717742.tif 000002
【図２】
0003717742.tif 000003
【図３】
0003717742.tif 000004
【図４】
0003717742.tif 000005
【図５】
0003717742.tif 000006
【図６】
0003717742.tif 000007
【図７】
0003717742.tif 000008
【図８】
0003717742.tif 000009
【図９】
0003717742.tif 000010
【図１０】
0003717742.tif 000011